(57)【要約】【課題】  街路、公園等、公共的施設やその他各種施設、工場、駐車場、その他広場等各種場所に設置され、安定した状態で通気や排水性が維持できる植栽用ブロックを提供する。【解決手段】  平面視だ円形状等の有底鉢形状をなすブロック本体２の底部に水抜き孔３を穿設し、ほぼ平坦な底面に前記水抜き孔３と連通する逆凹溝８を底面の外周縁部に開口すべく連続して凹設する。【選択図】  図１
2005237392.tif 000002
【特許請求の範囲】
【請求項１】
有底鉢形状をなすブロック本体（２）の底部に水抜き孔（３）が穿設され、ほぼ平坦な底面に前記水抜き孔（３）と連通する逆凹溝（８）が底面の外周縁部に開口すべく連続して凹設されたことを特徴とする植栽用ブロック。
【発明の詳細な説明】
【技術分野】
【０００１】  本発明は植栽用ブロックに関するものであり、詳しくは、やすらぎのある環境、景観を創出すべく、街路、公園等、公共的施設やその他各種施設、工場、駐車場、その他広場等各種場所に設置される植栽用ブロックに関するものである。
【背景技術】
【０００２】  従来、この種の植栽用ブロックは、有底鉢形状のコンクリートブロックとなされ、内部に充填した植栽土に植物を植栽するようになされており、その底部に排水のための水抜き孔が穿設され、時には孔の近傍に通気や水捌けを促進する各種の砕片や小石等（以下、粗骨材という）を配するとともに、かかる水抜き孔から植栽土や粗骨材等の流出を防止するために、孔に対してネットや通水板等を配している。
【発明の開示】
【発明が解決しようとする課題】
【０００３】  しかしながら、かかる従来の植栽用ブロックにあっては、重量物であるブロックにさらに内部に充填される植栽土や粗骨材等の重量が加わって、安定性の面から平坦となされたブロックの底面が設置面と全面密接状態となって水抜き孔が完全に閉塞されてしまうことが度々あり、水抜き孔を介して行われるべき植栽用充填材への通気や植栽用充填材からの排水が行われなくなり、植栽した植物の根腐れが生じたり、その生育に悪影響を及ぼす問題点があった。
本発明はかかる従来の問題点に鑑みてなされたもので、安定した状態で通気や排水性が維持できる植栽用ブロックを提供することを課題とする。
【課題を解決するための手段】
【０００４】  上記課題を解決するため、本発明の植栽用ブロックは、有底鉢形状をなすブロック本体２の底部に水抜き孔３が穿設され、ほぼ平坦な底面に前記水抜き孔３と連通する逆凹溝８が底面の外周縁部に開口すべく連続して凹設されたことを特徴とする。
【発明の効果】
【０００５】  本発明の植栽用ブロックは、有底鉢形状をなすブロック本体の底部に水抜き孔が穿設され、ほぼ平坦な底面に前記水抜き孔と連通する逆凹溝が底面の外周縁部に開口すべく連続して凹設されているために、たとえブロック本体、植栽用充填材及び植物等の重量が加重してブロック本体の底面が設置面と密接状態となっても、水抜き孔は設置面と離隔して空所を形成する逆凹溝を介して外部と連通し、かかる逆凹溝を水抜き孔を介して行われるべき植栽用充填材の通気路や植栽用充填材から排出される余剰水の排水路として、ブロック本体内に植栽した植物の根腐れを防止することができ、安定した状態で通気及び排水性を確保できる。
尚、前記逆凹溝を水抜き孔からブロック本体の底面の外周縁部に向かって複数条凹設すれば、上記通気及び排水性をさらに高めることができるとともに、たとえ何らかの理由によって１つの逆凹溝が閉塞状態となっても他の逆凹溝によって通気及び排水性を維持することができる。
【発明を実施するための最良の形態】
【０００６】  以下、図面を参照しながら本発明の実施の形態について説明する。
図１は本発明の植栽用ブロックの一実施の形態を示し、本実施形態の植栽用ブロック１は、平面視だ円形状の有底鉢形状をなすコンクリート製のブロック本体２からなる。
該ブロック本体２の外形状は、その外側壁上端部に、外側上隅部が円弧状に形成されてなる凸部５が周方向にわたって帯状に突設されるとともに、該凸部５上面を含む上端面がブロック本体２の内方に向かって下降する傾斜面６となされ、該ブロック本体２の外側壁中途部と下端部には、隅々に丸みを付してなる断面ほぼ台形状の凸部７が上記凸部５と並列して周方向にわたって帯状に突設され、ブロック本体２の底部ほぼ中央部に円形の水抜き孔３が穿設され、底部内面が水抜き孔３に向かって下降する緩傾斜面となされている。
該ブロック本体２のほぼ平坦な底面には、上記水抜き孔３の径より若干小さい幅の逆凹溝８が、水抜き孔３に連通してだ円形状の底面の短径方向に延びて外周縁部に開口すべく凹設されている。
又、上記水抜き孔３には、図２及び図３に示す如く、多孔蓋１７がその周縁部を水抜き孔３の上縁段部３ａに係止して設けられ、ブロック本体２内に充填した植栽用材の流出防止、植栽用材からの排水及び植栽用材への通気を図っている。【０００７】  本実施形態の植栽用ブロック１を所定の場所に設置すると、図２及び図３に示す如く、底面に凹設された逆凹溝８によって、ブロック本体２の底面と地面Ｇとの間に、だ円形底面の短径方向の全長にわたって地面Ｇと離隔せる通気及び排水路が確保され、水抜き孔３が、該水抜き孔３を中心に底面の外周縁部に向かって延びる２方向の上記通気及び排水路を介して外部と連通する。従って、ブロック本体２、植栽用材及び植物１５等の重量が加重してブロック本体２の底面が地面Ｇと密接状態となっても、ブロック本体２内の余剰水は上記逆凹溝８がなす排水路に沿ってスムーズに導水されて外部に排水され、又、外部の新鮮な空気は上記逆凹溝８がなす通気路を経て水抜き孔３から植栽用材と接するので植栽した植物１５の根腐れ防止を未然に図ることができる。【０００８】  又、降雨や散水に際し、ブロック本体２の上端面上に落下した表面水が、その傾斜面６を伝わってブロック本体２内に流入するとともに、ブロック本体２の外側壁上端部で外突せる凸部５が周方向にわたって帯状に突設されて上記傾斜面６の面積を広くなし、その分により上記表面水の流入量を増やして上記凸部５及び傾斜面６によって効果的な給水ができ、又、植栽後にも植栽用ブロック１ごと移動可能であるとともに、街路、駐車場等車両通行のある場所に設置した際、車両等の衝突に対して横すべりを起こしてその衝撃力を緩衝でき、又、車両のタイヤ等との接触に対し、上記凸部５，７及び平面視だ円形で全体に丸みを帯びていることによってその乗り上げ防止や衝撃緩和が図れる。【０００９】  又、水抜き孔３の上縁段部３ａに係止されてなる多孔蓋１７は、図２に示す如く、薄手の円形板に多数穿設されてなる透孔群が、略矢印形透孔１７ａと該略矢印形透孔１７ａ間に介在せる略雨滴形透孔１７ｂとから形成され、各透孔１７ａ，１７ｂの最狭部が円形板の中心を夫々指向した放射状を呈してなるとともに、それらの間に残存する円形板の板部１７ｃの閉塞幅Ｂが各透孔１７ａ，１７ｂの最大開口幅ｂ以下となされている。
従って、植栽用ブロック１内で上記多孔蓋１７を植栽用材に臨ませれば、略矢印形透孔１７ａと略雨滴形透孔１７ｂとによる多孔蓋１７の透孔率が極めて大きくなって、かかる各透孔１７ａ，１７ｂを介して行われるべき植栽用材への通気や植栽用材からの排水が効率よく行われるとともに、前記各透孔１７ａ，１７ｂの最大開口幅ｂは、かかる多孔蓋１７に臨む植栽用材（図３にあっては、植栽土１６の水捌けを促進する粗骨材１９）の主たる粒度（粒径）より稍小さく設定されてなるために、各透孔１７ａ，１７ｂへの植栽用材の目詰まりや、各透孔１７ａ，１７ｂからの植栽用材の流出漏れを確実に防止することができる。【００１０】  図４（イ）乃至（ホ）に示す各植栽用ブロック１は、上記図１に示す植栽用ブロックの変形例であって、（イ）は逆凹溝８がブロック本体２のだ円形状底面の長径方向にも凹設されて水抜き孔３を中心に十字状をなし、（ロ）は逆凹溝８の幅が水抜き孔３の径より大きい幅となされ、（ハ）は長径側にある逆凹溝８が分岐して短径方向を指向する逆凹溝８と相まって略水字状をなし、（ニ）はブロック本体２が平面視円形状で逆凹溝８が底面の外周縁部側で拡開せるラッパ状を呈して水抜き孔３から三方向を指向し、（ホ）はブロック本体２が平面視矩形状で水抜き孔３が八角形をなす点で上記図１に示す植栽用ブロックと相違しているが、その他は図１に示す植栽用ブロックと同様であるためその説明は省略する。【００１１】  図５は本発明の植栽用ブロックの他実施の形態を示し、本実施形態の植栽用ブロック１は上記図１に示す植栽用ブロックと略同様の形状、構造のものであって、ブロック本体２の長径方向に相対する側壁上位に、ブロック本体２の内方に向かって下降する傾斜状の挿通孔２０がそれぞれ貫通して設けられている点、外側壁上端部の凸部５の下面が略水平に近い緩傾斜状となされている点、及び逆凹溝８が幅広く水抜き孔３を中心に十字状を呈してなる点で上記図１に示す植栽用ブロックと相違している。
上記挿通孔２０は、植栽用ブロック１の移動を容易にするため吊持用のロープ等や、バール等の棒状体を挿通しうる径を有するとともに、通気孔をなして植栽土と外部空気の接触を促進する。【００１２】  尚、上記植栽用ブロック１に関して、ブロック本体２は、上記のように平面視だ円形状の有底鉢形状となされているのが、車両の乗り上げ防止や衝撃緩和に優れ、看者に柔和な感じを与えて植栽する植物と相まって安全で安らぎ感のある環境、景観の創出に寄与でき好ましいが、平面視円形状や矩形状、多角形状等各種形状であってもよい。
又、ブロック本体２の外側壁の凸部５，７の断面形状や凸部７の突設数も上記実施形態に限定されないし、又、外側壁上端部、中途部に凸部５，７が突設されていると上記衝撃緩和効果が相乗して好ましいが、上端部の凸部５のみが突設されたり、或いは場合によっては凸部５，７が突設されていなくともよい。【００１３】  又、水抜き孔３も上記実施形態では円形で１個となされているが、これに限定されず、だ円形、三角形、矩形、多角形等種々の形状で複数個設けられてもよい。
さらに、多孔蓋１７についても円形、だ円形、三角形、矩形、多角形等各種形状であってもよく、多孔プレート等汎用の通気及び透水性を有するものが使用でき、相接する植栽土１６、粗骨材１９等の植栽用材の粒度（粒径）に相応して、各透孔１７ａ，１７ｂの最大開口幅ｂが設定されればよいし、透孔１７ａ，１７ｂの具体的形状も適宜でよく、それらの材質はステンレス鋼が耐蝕性の面で好ましいが、耐蝕性や曲げ強度等を有する他の金属、合成樹脂等適宜材質であってもよい。【００１４】  又、ブロック本体２の底面に凹設された逆凹溝８も、上記実施形態のものに限定されることなく、その幅は水抜き孔３の径とほぼ同幅や小さい幅であると、余剰水を水抜き孔３から拡散させることなく逆凹溝８に沿ってスムーズに導水して排水でき好ましいが、水抜き孔３の径より大きな幅であってもよいし、又、その凹設位置や方向も、水抜き孔３からブロック本体２の底面の外周縁部に向かって複数凹設されていると、通気、排水性の面で好ましいが、水抜き孔３に連通して底面外周縁部に開口すべく直線状、湾曲や屈曲状等適宜形状に連続すればよいし、逆凹溝８の断面形状も台形状、山形状、半円状等適宜形状となされればよい。【００１５】  更に、上記実施形態においては、水抜き孔３に対して多孔蓋１７を上縁段部３ａに係止固定し、その位置ずれを防止しているが、該上縁段部３ａへの係止に替えて多孔蓋１７又は網状体をその外周縁部を水抜き孔３の孔壁に埋設一体化することにより張設してもよいことは勿論である。
即ち、本発明の植栽用ブロック１におけるブロック本体２、水抜き孔３、多孔蓋１７、凸部５，７、逆凹溝８等各部の形状、構造等は上記実施形態のものに限定されることなく、本発明の意図する範囲内で適宜に設計変更可能である。
【図面の簡単な説明】
【００１６】
【図１】  本発明の植栽用ブロックの一実施形態を示し、（イ）は平面図、（ロ）の左半部は半截正面図、（ロ）の右半部は半截断面図、（ハ）の左半部は半截側面図、（ハ）の右半部は半截断面図、（ニ）は底面図。
【図２】  図１の植栽用ブロックの水抜き孔を多孔蓋で覆った状態を示し、（イ）は拡大平面図、（ロ）は（イ）のＦ−Ｆ断面図。
【図３】  図１の植栽用ブロックの使用例を示す断面図。
【図４】  （イ）乃至（ホ）はそれぞれ図１の植栽用ブロックの変形例を示す底面図。
【図５】  本発明の植栽用ブロックの他実施形態を示し、（イ）は平面図、（ロ）は正面図、（ハ）は側面図、（ニ）は（イ）のＨ−Ｈ断面図。
【符号の説明】
【００１７】１  植栽用ブロック
２  ブロック本体
３  水抜き孔
３ａ  上縁段部
５，７  凸部
６  傾斜面
８  逆凹溝
１６  植栽土
１７  多孔蓋
１７ａ  略矢印形透孔
１７ｂ  略雨滴形透孔
１７ｃ  板部
１９  粗骨材
Ｂ  閉塞幅
ｂ  最大開口幅
【図１】
2005237392.tif 000003
【図２】
2005237392.tif 000004
【図３】
2005237392.tif 000005
【図４】
2005237392.tif 000006
【図５】
2005237392.tif 000007